(57)【要約】送風機は、シャフトを有するモータと、モータの外郭を成す出力軸側に位置するモータケースおよび反出力軸側に位置するボトムケースと、モータケース等の内部に取り付けられ、モータを駆動する回路が実装された回路基板と、モータケース等の外側に引き出されるとともに、回路基板に電力を供給する電源線と、モータケース等と電源線との間に位置し、電源線と組み合わされたリードブッシュと、シャフトに取り付けられた羽根と、羽根を内蔵し、樹脂で成形されたブロワケースと、ブロワケースに、モータの出力軸側から反出力軸側に向かってリードブッシュを囲うように配置されたリブと、を備える。
2020022126.tif 000002
【特許請求の範囲】
【請求項１】
一方を出力軸、他方を反出力軸とするシャフトを有するモータと、
前記モータの外郭を成す、前記出力軸側に位置するモータケースおよび前記反出力軸側に位置するボトムケースと、
前記モータケースおよび前記ボトムケースの内部に取り付けられ、前記モータを駆動する回路が実装された回路基板と、
前記回路基板と電気的に接続され、前記モータケースおよび前記ボトムケースの外側に引き出されるとともに、前記回路基板に電力を供給する電源線と、
前記モータケースおよび前記ボトムケースと前記電源線との間に位置し、少なくとも前記モータケースおよび前記ボトムケースのいずれか一方に保持されて前記電源線と組み合わされたリードブッシュと、
前記シャフトに取り付けられた羽根と、
前記羽根を内蔵し、樹脂で成形されたブロワケースと、
前記ブロワケースに、前記モータの前記出力軸側から前記反出力軸側に向かって前記リードブッシュを囲うように配置されたリブと、を備える送風機。
【請求項２】
前記電源線の外周は、複数の山が形成されたコルゲートチューブにより囲まれており、
前記リブは、前記複数の山のうち隣り合った山と山に挟まれている請求項１に記載の送風機。
【請求項３】
前記ブロワケースは、前記出力軸側に位置する上ケースと前記反出力軸側に位置する下ケースとで形成され、
前記下ケースには、前記モータが固定され、かつ、
前記下ケースに前記リブが配置されている請求項１または２に記載の送風機。
【発明の詳細な説明】
【技術分野】
【０００１】
本発明は、送風機が備えるモータの電源線に関する。本発明は、特に、ブロワケースに一体で成形される突起を設けて、モータの電源線間に水が滴ることを防ぐ構造を施した送風機に関する。
【背景技術】
【０００２】
車両等に搭載される送風機は、例えば特許文献１に示されているものがある。すなわち、吸込み部から水が浸入してきたとき、ファンの回転による水の飛散により回路部が破壊することを防止するために、ケーシング部に水の浸入を防ぐ構造をとっていた。【０００３】
しかしながら、特許文献１に記載された送風機の構成では、ファンの外側からの水の滴りに対しては対策がされていない。また、特許文献１に記載された送風機の構成では、モータの取付姿勢においても制限を受けていた。さらに、送風機は、モータケースが金属により形成されているため、形状の変更をする場合、金型を修正する費用が必要となり、容易に変更できない構造となっていた。
【先行技術文献】
【特許文献】
【０００４】
【特許文献１】実開平２−１３９４７３号公報
【発明の概要】
【０００５】
本発明は上記の問題を解決する。本発明の目的は、樹脂成形されるブロワケースにリブを設けることにより、安価で容易な構成で、外部からの水がモータ内に滴り入ることを防ぐものである。つまり本発明を用いれば、電源線からの水浸入を防ぐ、非防水用の送風機を提供することができる。
【０００６】
上記目的を達成するため、本発明の送風機は、モータと、モータケースおよびボトムケースと、回路基板と、電源線と、リードブッシュと、羽根と、ブロワケースと、リブと、を備える。
【０００７】
モータは、一方を出力軸、他方を反出力軸とするシャフトを有する。モータの外郭は、モータケースおよびボトムケースで構成される、モータケースは、出力軸側に位置する。ボトムケースは、反出力軸側に位置する。回路基板は、モータケースおよびボトムケースの内部に取り付けられる。回路基板は、モータを駆動する回路が実装される。電源線は、回路基板と電気的に接続される。電源線は、モータケースおよびボトムケースの外側に引き出される。電源線は、回路基板に電力を供給する。リードブッシュは、モータケースおよびボトムケースと電源線との間に位置する。リードブッシュは、少なくともモータケースおよびボトムケースのいずれか一方に保持されて電源線と組み合わされる。羽根は、シャフトに取り付けられる。ブロワケースは、羽根を内蔵し、樹脂で成形される。リブは、ブロワケースに、モータの出力軸側から反出力軸側に向かってリードブッシュを囲うように配置される。
【０００８】
また、本発明の送風機は、モータを取り囲むようなリブが存在した構成である。この構成により、車両からの水の浸入を防ぐだけでなく、コルゲートチューブの段差をリブに固定することで電源線に水が滴ることを防止するとともに、生産性の高い送風機を提供することができる。また、モータケースへの電源線ハーネス組立の取り付け（引き回し）を考慮したブロワを提供することができる。
【０００９】
本発明によれば、回路基板を内蔵したモータを有する送風機において、防水対策に優れ、かつ生産性が高い送風機を提供することができる。
【図面の簡単な説明】
【００１０】
【図１】本発明の実施の形態における送風機の縦断面を示す図
【図２】同送風機の主要な構成を示す拡大図
【図３】同送風機の下面側の斜視図
【図４】同送風機に用いられるモータとハーネス組立の配置を示す斜視図
【発明を実施するための形態】
【００１１】
以下、本発明に係る実施の形態における送風機について、図面を参照しながら説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本開示の最上位概念を示す独立請求項に記載されていない構成要素については、任意の構成要素として説明される。
【００１２】
各図は、模式図であり、必ずしも厳密に図示されたものではない。なお、各図において、実質的に同一の構成に対しては同一の符号を付しており、重複する説明は省略又は簡略化する。
【００１３】
（実施の形態）
図１は、本発明の実施の形態における送風機１の縦断面を示す図である。送風機１は遠心送風機である。本実施の形態では、モータが組み込まれた送風機の例を挙げて説明する。
【００１４】
図１に示すように、送風機１は、モータ２、羽根３、上ケース４、下ケース５、ハーネス組立７を備えている。送風機１は、段差部を持ったモータケース６とボトムケース８によりリードブッシュ９を保持している。
【００１５】
モータ２が有するシャフト２０には羽根３が取り付けられている。シャフト２０の一方は出力軸２０ａ、他方は反出力軸２０ｂである。シャフト２０が回転すれば、羽根３もともに回転する。下ケース５は、モータケース６の段差部と接している。モータ２は、下ケース５に固定されている。
【００１６】
図２は、本発明の実施の形態における送風機１の主要な構成を示す拡大図である。図３は、同送風機１の下面側の斜視図である。図４は、同送風機１に用いられるモータ２とハーネス組立７の配置を示す斜視図である。以下、図１〜４を参照して、送風機１の全体構成について説明する。
【００１７】
図１および図３に示すように送風機１は、モータ２、羽根３、上ケース４、下ケース５、ハーネス組立７を備えている。下ケース５は、外側にリブ５ａを有する。ここで、上ケース４と下ケース５を合わせて、ブロワケース２２と呼ぶ。ブロワケース２２は、樹脂成形されており、羽根３を内蔵している。モータ２は、金属で形成され、モータ２の外郭をなす段差部を持った出力軸側に位置するモータケース６と反出力軸側に位置するボトムケース８によりリードブッシュ９を保持している。
【００１８】
電源線７ａの外周は、コルゲートチューブ７ｂで囲まれている。モータ２では、ハーネス組立７のうちコルゲートチューブ７ｂで囲われている部分がブロワケース２２下のリブ５ａの内側に入り込むように配置されている。コルゲートチューブ７ｂは、下ケース５のリブ５ａより内側にコルゲートチューブ７ｂの山がくるように組み立てられる。つまり、リブ５ａが、コルゲートチューブ７ｂの隣り合った山と山に挟まれることになる。この配置であれば、上ケース４から伝わった滴り水を下ケース５のリブ５ａにより防ぐことができる。
【００１９】
図３に示すように、モータ２が有するハーネス組立７の電源線７ａとコルゲートチューブ７ｂの隙間を取り囲むように、リブ５ａが下ケース５に配置されている。また、モータケース６は、モータケース６が含む嵌合面２ａ等への水の浸入防止を配慮した設計となっている。従って、送風機１が、図１に示すような配置で使用される場合に、何らかの理由で送風機１に水が注がれたとしても、下ケース５のリブ５ａ、または、その重力方向下部のコルゲートチューブ７ｂの溝より、滴り水が送風機１の下側へ排水される。これにより、モータ２内へ、水が浸入することを防ぐことができる。本実施の形態に係る送風機１では、図１に示す送風機１の取付け姿勢で、下ケースのリブ５ａとコルゲートチューブ７ｂの組み合わせによって、モータケース６に水が浸入することを防ぐことができる。
【００２０】
図１と図４に示すように、モータ２は、モータケース６およびボトムケース８の中にリードブッシュ９を介して、回路基板１０を有している。モータケース６およびボトムケース８とリードブッシュ９の間には、隙間があり、外部からの水の浸入を防ぐ必要がある。下ケース５のリブ５ａとコルゲートチューブ７ｂの組み合わせによって、モータケース６およびボトムケース８とリードブッシュ９の間に水の浸入を防ぐことができる。これにより、ケース外周からの水かかりによる水の浸入の防止効果に優れ、かつ、生産性の高い送風機を提供することができる。また、下ケース５のリブ５ａは、樹脂による構成であり、形状を容易に変えることができる。これにより様々な車両への取付けが容易な送風機を提供することができる。
【００２１】
以上のように、本実施の形態の送風機１は、モータ２と、モータケース６およびボトムケース８と、回路基板１０と、電源線７ａと、リードブッシュ９と、羽根３と、ブロワケース２２と、リブ５ａと、を備える。
【００２２】
モータ２は、一方を出力軸２０ａ、他方を反出力軸２０ｂとするシャフト２０を有する。モータ２の外郭は、モータケース６およびボトムケース８で構成される、モータケース６は、出力軸２０ａ側に位置する。ボトムケース８は、反出力軸２０ｂ側に位置する。回路基板１０は、モータケース６およびボトムケース８の内部に取り付けられる。回路基板１０は、モータ２を駆動する回路が実装される。電源線７ａは、回路基板１０と電気的に接続される。電源線７ａは、モータケース６およびボトムケース８の外側に引き出される。電源線７ａは、回路基板１０に電力を供給する。リードブッシュ９は、モータケース６およびボトムケース８と電源線７ａとの間に位置する。リードブッシュ９は、少なくともモータケース６およびボトムケース８のいずれか一方に保持されて電源線７ａと組み合わされる。羽根３は、シャフト２０に取り付けられる。ブロワケース２２は、羽根３を内蔵し、樹脂で成形される。リブ５ａは、ブロワケース２２に、モータ２の出力軸２０ａ側から反出力軸２０ｂ側に向かってリードブッシュ９を囲うように配置される。
【００２３】
これにより、回路基板を内蔵したモータを有する送風機において、防水対策に優れ、かつ生産性が高い送風機を提供することができる。
【００２４】
なお、リブ５ａは、本実施の形態にて説明したように、少なくともブロワケース２２の一部、具体的には、電源線７ａが引き出される部分の近傍に形成できれば、上述した作用効果を得ることができる。
【００２５】
また、電源線７ａの外周は、コルゲートチューブ７ｂにより囲まれており、リブ５ａがコルゲートチューブ７ｂに形成された複数の山のうち隣り合った山と山に挟まれていることが好ましい。
【００２６】
また、ブロワケース２２は、出力軸２０ａ側に位置する上ケース４と反出力軸２０ｂ側に位置する下ケース５とで形成される。ブロワケース２２は、下ケース５にモータ２が固定され、かつ、下ケース５にリブ５ａが配置されていることが好ましい。
【産業上の利用可能性】
【００２７】
本発明に係る送風機によれば、簡便な防水対策により、防水性の高い送風機を提供することができる。したがって、本発明に係る送風機は、水かかり対策による水の浸入の防止効果の高い車載用のブロワファン等に用いられる送風機に有用である。
【符号の説明】
【００２８】
１  送風機
２  モータ
２ａ  嵌合面
３  羽根
４  上ケース
５  下ケース
５ａ  リブ
６  モータケース
７  ハーネス組立
７ａ  電源線
７ｂ  コルゲートチューブ
８  ボトムケース
９  リードブッシュ
１０  回路基板
２０  シャフト
２０ａ  出力軸
２０ｂ  反出力軸
２２  ブロワケース
【図１】
2020022126.tif 000003
【図２】
2020022126.tif 000004
【図３】
2020022126.tif 000005
【図４】
2020022126.tif 000006
【手続補正書】
【提出日】令和2年11月13日(2020.11.13)
【手続補正１】
【補正対象書類名】明細書
【補正対象項目名】全文
【補正方法】変更
【補正の内容】
【発明の詳細な説明】
【技術分野】
【０００１】
本発明は、送風機が備えるモータの電源線に関する。本発明は、特に、ブロワケースに一体で成形される突起を設けて、モータの電源線間に水が滴ることを防ぐ構造を施した送風機に関する。
【背景技術】
【０００２】
車両等に搭載される送風機は、例えば特許文献１に示されているものがある。すなわち、吸込み部から水が浸入してきたとき、ファンの回転による水の飛散により回路部が破壊することを防止するために、ケーシング部に水の浸入を防ぐ構造をとっていた。
【０００３】
しかしながら、特許文献１に記載された送風機の構成では、ファンの外側からの水の滴りに対しては対策がされていない。また、特許文献１に記載された送風機の構成では、モータの取付姿勢においても制限を受けていた。さらに、送風機は、モータケースが金属により形成されているため、形状の変更をする場合、金型を修正する費用が必要となり、容易に変更できない構造となっていた。
【先行技術文献】
【特許文献】
【０００４】
【特許文献１】実開平２−１３９４７３号公報
【発明の概要】
【０００５】
本発明は上記の問題を解決する。本発明の目的は、樹脂成形されるブロワケースにリブを設けることにより、安価で容易な構成で、外部からの水がモータ内に滴り入ることを防ぐものである。つまり本発明を用いれば、電源線からの水浸入を防ぐ、非防水用の送風機を提供することができる。
【０００６】
上記目的を達成するため、本発明の送風機は、モータと、モータケースおよびボトムケースと、回路基板と、電源線と、リードブッシュと、羽根と、ブロワケースと、リブと、を備える。
【０００７】
モータは、一方を出力軸、他方を反出力軸とするシャフトを有する。モータの外郭は、モータケースおよびボトムケースで構成される、モータケースは、出力軸側に位置する。ボトムケースは、反出力軸側に位置する。回路基板は、モータケースおよびボトムケースの内部に取り付けられる。回路基板は、モータを駆動する回路が実装される。電源線は、回路基板と電気的に接続される。電源線は、モータケースおよびボトムケースの外側に引き出される。電源線は、回路基板に電力を供給する。リードブッシュは、モータケースおよびボトムケースと電源線との間に位置する。リードブッシュは、少なくともモータケースおよびボトムケースのいずれか一方に保持されて電源線と組み合わされる。羽根は、シャフトに取り付けられる。ブロワケースは、羽根を内蔵し、樹脂で成形される。リブは、ブロワケースに、モータの出力軸側から反出力軸側に向かってリードブッシュを囲うように配置される。
【０００８】
また、本発明の送風機は、モータを取り囲むようなリブが存在した構成である。この構成により、車両からの水の浸入を防ぐだけでなく、コルゲートチューブの段差をリブに固定することで電源線に水が滴ることを防止するとともに、生産性の高い送風機を提供することができる。また、モータケースへの電源線ハーネス組立の取り付け（引き回し）を考慮したブロワを提供することができる。
【０００９】
本発明によれば、回路基板を内蔵したモータを有する送風機において、防水対策に優れ、かつ生産性が高い送風機を提供することができる。
【図面の簡単な説明】
【００１０】
【図１】本発明の実施の形態における送風機の縦断面を示す図
【図２】同送風機の主要な構成を示す拡大図
【図３】同送風機の下面側の斜視図
【図４】同送風機に用いられるモータとハーネス組立の配置を示す斜視図
【発明を実施するための形態】
【００１１】
以下、本発明に係る実施の形態における送風機について、図面を参照しながら説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本開示の最上位概念を示す独立請求項に記載されていない構成要素については、任意の構成要素として説明される。
【００１２】
各図は、模式図であり、必ずしも厳密に図示されたものではない。なお、各図において、実質的に同一の構成に対しては同一の符号を付しており、重複する説明は省略又は簡略化する。
【００１３】
（実施の形態）
図１は、本発明の実施の形態における送風機１の縦断面を示す図である。送風機１は遠心送風機である。本実施の形態では、モータが組み込まれた送風機の例を挙げて説明する。
【００１４】
図１に示すように、送風機１は、モータ２、羽根３、上ケース４、下ケース５、ハーネス組立７を備えている。送風機１は、段差部を持ったモータケース６とボトムケース８によりリードブッシュ９を保持している。
【００１５】
モータ２が有するシャフト２０には羽根３が取り付けられている。シャフト２０の一方は出力軸２０ａ、他方は反出力軸２０ｂである。シャフト２０が回転すれば、羽根３もともに回転する。下ケース５は、モータケース６の段差部と接している。モータ２は、下ケース５に固定されている。
【００１６】
図２は、本発明の実施の形態における送風機１の主要な構成を示す拡大図である。図３は、同送風機１の下面側の斜視図である。図４は、同送風機１に用いられるモータ２とハーネス組立７の配置を示す斜視図である。以下、図１〜４を参照して、送風機１の全体構成について説明する。
【００１７】
図１および図３に示すように送風機１は、モータ２、羽根３、上ケース４、下ケース５、ハーネス組立７を備えている。下ケース５は、外側にリブ５ａを有する。ここで、上ケース４と下ケース５を合わせて、ブロワケース２２と呼ぶ。ブロワケース２２は、樹脂成形されており、羽根３を内蔵している。モータ２は、金属で形成され、モータ２の外郭をなす段差部を持った出力軸側に位置するモータケース６と反出力軸側に位置するボトムケース８によりリードブッシュ９を保持している。
【００１８】
電源線７ａの外周は、コルゲートチューブ７ｂで囲まれている。モータ２では、ハーネス組立７のうちコルゲートチューブ７ｂで囲われている部分がブロワケース２２下のリブ５ａの内側に入り込むように配置されている。コルゲートチューブ７ｂは、下ケース５のリブ５ａより内側にコルゲートチューブ７ｂの山がくるように組み立てられる。つまり、リブ５ａが、コルゲートチューブ７ｂの隣り合った山と山に挟まれることになる。この配置であれば、上ケース４から伝わった滴り水を下ケース５のリブ５ａにより防ぐことができる。
【００１９】
図３に示すように、モータ２が有するハーネス組立７の電源線７ａとコルゲートチューブ７ｂの隙間を取り囲むように、リブ５ａが下ケース５に配置されている。また、モータケース６は、モータケース６が含む嵌合面２ａ等への水の浸入防止を配慮した設計となっている。従って、送風機１が、図１に示すような配置で使用される場合に、何らかの理由で送風機１に水が注がれたとしても、下ケース５のリブ５ａ、または、その重力方向下部のコルゲートチューブ７ｂの溝より、滴り水が送風機１の下側へ排水される。これにより、モータ２内へ、水が浸入することを防ぐことができる。本実施の形態に係る送風機１では、図１に示す送風機１の取付け姿勢で、下ケースのリブ５ａとコルゲートチューブ７ｂの組み合わせによって、モータケース６に水が浸入することを防ぐことができる。
【００２０】
図１と図４に示すように、モータ２は、モータケース６およびボトムケース８の中にリードブッシュ９を介して、回路基板１０を有している。モータケース６およびボトムケース８とリードブッシュ９の間には、隙間があり、外部からの水の浸入を防ぐ必要がある。下ケース５のリブ５ａとコルゲートチューブ７ｂの組み合わせによって、モータケース６およびボトムケース８とリードブッシュ９の間に水の浸入を防ぐことができる。これにより、ケース外周からの水かかりによる水の浸入の防止効果に優れ、かつ、生産性の高い送風機を提供することができる。また、下ケース５のリブ５ａは、樹脂による構成であり、形状を容易に変えることができる。これにより様々な車両への取付けが容易な送風機を提供することができる。
【００２１】
以上のように、本実施の形態の送風機１は、モータ２と、モータケース６およびボトムケース８と、回路基板１０と、電源線７ａと、リードブッシュ９と、羽根３と、ブロワケース２２と、リブ５ａと、を備える。
【００２２】
モータ２は、一方を出力軸２０ａ、他方を反出力軸２０ｂとするシャフト２０を有する。モータ２の外郭は、モータケース６およびボトムケース８で構成される、モータケース６は、出力軸２０ａ側に位置する。ボトムケース８は、反出力軸２０ｂ側に位置する。回路基板１０は、モータケース６およびボトムケース８の内部に取り付けられる。回路基板１０は、モータ２を駆動する回路が実装される。電源線７ａは、回路基板１０と電気的に接続される。電源線７ａは、モータケース６およびボトムケース８の外側に引き出される。電源線７ａは、回路基板１０に電力を供給する。リードブッシュ９は、モータケース６およびボトムケース８と電源線７ａとの間に位置する。リードブッシュ９は、少なくともモータケース６およびボトムケース８のいずれか一方に保持されて電源線７ａと組み合わされる。羽根３は、シャフト２０に取り付けられる。ブロワケース２２は、羽根３を内蔵し、樹脂で成形される。リブ５ａは、ブロワケース２２に、モータ２の出力軸２０ａ側から反出力軸２０ｂ側に向かってリードブッシュ９を囲うように配置される。
【００２３】
これにより、回路基板を内蔵したモータを有する送風機において、防水対策に優れ、かつ生産性が高い送風機を提供することができる。
【００２４】
なお、リブ５ａは、本実施の形態にて説明したように、少なくともブロワケース２２の一部、具体的には、電源線７ａが引き出される部分の近傍に形成できれば、上述した作用効果を得ることができる。
【００２５】
また、電源線７ａの外周は、コルゲートチューブ７ｂにより囲まれており、リブ５ａがコルゲートチューブ７ｂに形成された複数の山のうち隣り合った山と山に挟まれていることが好ましい。
【００２６】
また、ブロワケース２２は、出力軸２０ａ側に位置する上ケース４と反出力軸２０ｂ側に位置する下ケース５とで形成される。ブロワケース２２は、下ケース５にモータ２が固定され、かつ、下ケース５にリブ５ａが配置されていることが好ましい。
【産業上の利用可能性】
【００２７】
本発明に係る送風機によれば、簡便な防水対策により、防水性の高い送風機を提供することができる。したがって、本発明に係る送風機は、水かかり対策による水の浸入の防止効果の高い車載用のブロワファン等に用いられる送風機に有用である。
【符号の説明】
【００２８】
１    送風機
２    モータ
２ａ    嵌合面
３    羽根
４    上ケース
５    下ケース
５ａ    リブ
６    モータケース
７    ハーネス組立
７ａ    電源線
７ｂ    コルゲートチューブ
８    ボトムケース
９    リードブッシュ
１０    回路基板
２０    シャフト
２０ａ    出力軸
２０ｂ    反出力軸
２２    ブロワケース
【手続補正２】
【補正対象書類名】特許請求の範囲
【補正対象項目名】全文
【補正方法】変更
【補正の内容】
【特許請求の範囲】
【請求項１】
一方を出力軸、他方を反出力軸とするシャフトを有するモータと、
前記モータの外郭を成す、前記出力軸側に位置するモータケースおよび前記反出力軸側に位置するボトムケースと、
前記モータケースおよび前記ボトムケースの内部に取り付けられ、前記モータを駆動する回路が実装された回路基板と、
前記回路基板と電気的に接続され、前記モータケースおよび前記ボトムケースの外側に引き出されるとともに、前記回路基板に電力を供給する電源線と、
前記モータケースおよび前記ボトムケースと前記電源線との間に位置し、少なくとも前記モータケースおよび前記ボトムケースのいずれか一方に保持されて前記電源線と組み合わされたリードブッシュと、
前記シャフトに取り付けられた羽根と、
前記羽根を内蔵し、樹脂で成形されたブロワケースと、
前記ブロワケースに、前記モータの前記出力軸側から前記反出力軸側に向かって前記リードブッシュを囲うように配置されたリブと、を備える送風機。
【請求項２】
前記電源線の外周は、複数の山が形成されたコルゲートチューブにより囲まれており、
前記リブは、前記複数の山のうち隣り合った山と山に挟まれている請求項１に記載の送風機。
【請求項３】
前記ブロワケースは、前記出力軸側に位置する上ケースと前記反出力軸側に位置する下ケースとで形成され、
前記下ケースには、前記モータが固定され、かつ、
前記下ケースに前記リブが配置されている請求項１または２に記載の送風機。
【手続補正３】
【補正対象書類名】図面
【補正対象項目名】全図
【補正方法】変更
【補正の内容】
【図１】
2020022126.tif 000007
【図２】
2020022126.tif 000008
【図３】
2020022126.tif 000009
【図４】
2020022126.tif 000010
【国際調査報告】
2020022126.tif 000011
2020022126.tif 000012
2020022126.tif 000013
2020022126.tif 000014